(57)【要約】【課題】            対のフレキシブル基板を他の回路に接続するコネクター装置は、カム部と第１の接片との間に第１のフレキシブル基板を、第１の接片と第２の接片との間に第２のフレキシブル基板を挿入する。フレキシブル基板の挿入作業が２回必要であり、フレキシブル基板のカム部と接片による損傷、接片とフレキシブル基板との電気的接触が一定しない。【解決手段】        ハウジング（２）内の対の端子（７，１３）の接片（１０，１５）間にフレキシブル基板（１６）を挿入する。フレキシブル基板（１６）は両面に電気回路を有し、アクチュエータ（３）を閉（ロック）状態としたとき、両接片（１０，１５）の接点が所定の回路に接触する。接触圧は安定した一定のものとなる。【選択図】          図３
2005183010.tif 000002
【特許請求の範囲】
【請求項１】
ハウジングと、該ハウジングに対して回動自在に支持されたアクチュエータと、ハウジング内に納められかつ弾性変形自在な第１の接片を有する第１の端子と、ハウジング内に納められかつ第１の接片と離間対向する弾性変形自在な第２の接片を有する第２の端子とを備え、両接片間に挿入されたフレキシブル基板の上面電気回路が第１の接片にかつフレキシブル基板の下面電気回路が第２の接片にアクチュエータを閉状態とさせることにより電気的に接続されることを特徴とするコネクター装置。
【請求項２】
フレキシブル基板が積層体からなる請求項１記載のコネクター装置。
【請求項３】
第１の端子がハウジングの上方内面に沿う支持片を有し、該支持片と第１の接片との間にアクチュエータのカム部が位置する請求項１記載のコネクター装置。
【請求項４】
第１の端子の支持片がハウジングの上方壁部と中間壁部とに挟持される請求項３記載のコネクター装置。
【請求項５】
ハウジングの下方壁部がフレキシブル基板の端面を受ける当接片を有しかつ第２の端子の基部が該下方壁部と当接片との間に保持される請求項１又は４記載のコネクター装置。
【請求項６】
第１と第２の端子がハウジング外に延在するハンダ付け用接点を有する請求項５記載のコネクター装置。
【請求項７】
アクチュエータを閉（ロック）状態とさせると、カム部の支持片に対する反力が第１の接片をフレキシブル基板の上面に圧接させかつその下面を第２の接片に圧接させ、電気的接続関係を確保する請求項６記載のコネクター装置。
【発明の詳細な説明】
【技術分野】
【０００１】
本発明は、液晶パネル（ディスプレイ）等含む電子機器に利用されるコネクター装置に関する。
【背景技術】
【０００２】
液晶パネル（ディスプレイ）を用いたパーソナルコンピューターやテレビジョン受像器、ゲーム機器、携帯電話等が急速に普及している。液晶パネルは、蛍光管を用いたバックライトが必要であり、高電圧の電力を供給する回路を必要としている。
【０００３】
蛍光管のリード線は、０．５mm、０．８mm、１．０mmといった間隔で限られたスペースに並設されることから、そのための電力供給回路を構成する電気回路も近接して配される。
このような回路としてフレキシブル基板（Flexible Printed Circuit）が開発され実用化されている。
該回路と蛍光管のリード線或いは他の電子部品との接続はハンダが用いられるが、きわめて近接した接点と導電線とのハンダ付け作業は難しく時間を要する作業となっている。
【０００４】
この不具合を解消させるために、ハウジング内に端子を納め、フレキシブル基板の電気回路と端子とをアクチュエータをハウジングに対して回動させて閉（ロック）状態とさせることにより電気的に接続する技術が開発されている。
【０００５】
【特許文献１】特許第３２２２８４２号明細書
【特許文献２】特開２００２−３６７７３０号公報
【発明の開示】
【発明が解決しようとする課題】
【０００６】
特許第３２２２８４２号明細書は、ハウジング内に対の離間した端子を配し、対のフレキシブル基板ケーブルをハウジング内に順次挿入し、次いで、アクチュエータをハウジングに対して回動させて端子とフレキシブル基板の電気回路との電気的接続を得ている。
【０００７】
しかしながら、この従来例は、フレキシブル基板を一枚一枚ハウジング内に挿入しているが、この作業は２つの工程を要し、しかも、フレキシブル基板の正しい相対的位置の確保が難しい作業となっている。
加えて、アクチュエータの閉（ロック）作業は、そのカム部を一方のフレキシブル基板に押し付け、一方の端子の接片と一方のフレキシブル基板の電気回路との電気的接続を作り、その力を一方の端子の接片を介して他方のフレキシブル基板に伝え、他方の端子の接片と他方のフレキシブル基板の電気回路との電気的接触を得ている。
【０００８】
この従来例では、フレキシブル基板の間に一方の端子の接片が介在し、この接片が電気的接触と力の伝達の働きをしているが、この一方の接片の弾性変形量で他方の接片の接触圧が変わり、電気抵抗が変化し、好ましくない。
【０００９】
それ故に、本発明は前述した従来例の不具合を解消させることを解決すべき課題とする。
【課題を解決するための手段】
【００１０】
本発明は、前述した課題を解決するために、基本的には、対の端子の向かい合う接片間にその上下面に電気回路を有するフレキシブル基板を挿入する技術手段を用いる。
この手段の採用は、一つのフレキシブル基板の挿入作業に加えて、アクチュエータを閉（ロック）とすると、そのカム部が一方の端子の接片とフレキシブル基板とを一体にして他方の端子の接片に押し付けることから、両接片とフレキシブル基板の電気回路との電気的接触は一定にして良好な状態となる。
【００１１】
本発明によれば、ハウジングと、該ハウジングに対して回動自在に支持されたアクチュエータと、ハウジング内に納められかつ弾性変形自在な第１の接片を有する第１の端子と、ハウジング内に納められかつ第１の接片と離間対向する弾性変形自在な第２の接片を有する第２の端子とを備え、両接片間に挿入されたフレキシブル基板の上面電気回路が第１の接片にかつフレキシブル基板の下面電気回路が第２の接片にアクチュエータを閉状態とさせることにより電気的に接続されることを特徴とするコネクター装置が提供される。
【発明の効果】
【００１２】
本発明によれば、両面接点フレキシブル基板又は２枚のフレキシブル基板を背中合わせにしたものを離間対向する接片間に挿入し、アクチュエータを閉（ロック）状態とさせるのみであるから、作業は容易であり、電気的接触圧は一定にして良好である。
アクチュエータのカム部は端子の接片に接するので、カム部によるフレキシブル基板の損傷はない。又、コネクターの実装面積を極力削減できる。
さらに、ハウジングの壁部がハウジング内に挿入されたフレキシブル基板と接し、フレキシブル基板のひき回しによるアクチュエータの開の動きは全くない。加えて、オーバラップ分接片に弾性変形を与えるので良好な電気回路と接片との接触圧が得られる。
【発明を実施するための最良の形態】
【００１３】
本発明の最良の形態のコネクター装置１は、図１に示す如く、ハウジング２とアクチュエータ３を有す。アクチュエータ３は、軸部４を介してハウジング２に対して回動自在となっており、図３に示す開状態から図４に示す閉（ロック）状態へと移動自在である。
ハウジング２は中空の箱形をなし、その内部に中間部材５と下方壁部から延在する断面略Ｌ形の係止片６を有す（図３参照）。
【００１４】
図２と図３に示されるように、ハウジング２内に第１の端子７が納められる。第１の端子７は、ハウジング２の上方と下方壁部に当接する本体８、本体８の上部から水平に延在する支持片９、支持片９とは離間して略平行に延在する接片１０、およびハウジング２外に延在する接点１１を有す。
ハウジング２の中間部材５は、支持片９と接片１０との間に位置し、中間部材５と上方壁部とが第１の端子７をハウジング２内に固定させる。
【００１５】
アクチュエータ３のカム部１２が支持片９と接片１０との間に位置する。
ハウジング２内に第２の端子１３を配す。接点１７を有する第２の端子１３は、ハウジング２の下方壁部に沿う本体１４と、第１の接片１０と離間対向する第２の接片１５とを有し、係止片６の根元部に本体１４の先端を差し込み、第２の端子１３をハウジング２の下方壁部に固定させる。
【００１６】
図２に示すように、図示例では６個の端子７，１３を１．０mm間隔で配したが、０．５mm、或いは０．８mm間隔で適当数の端子７，１３を並設させてもよい。
接片７，１３は導電性の金属板、たとえばニッケル・モリブデン合金や銅板で形成される。
【００１７】
フレキシブル基板１６は、２枚のフレキシブル基板を背中合わせにし、その上下面でプリント回路を有するもの或いは１枚のフレキシブル基板の両面にプリント回路を有するものが用いられる。
図３に示すように、ハウジング２の一方の開口より、対向する接片１０，１５間にフレキシブル基板１６を挿入する。フレキシブル基板１６の端面は係止片６に当接し、その挿入量が規制される。
【００１８】
図３に示すようにフレキシブル基板１６を対の接片１０，１５間に挿入した後、アクチュエータ３を回動し、図４に示す閉（ロック）状態とさせる。この動きはアクチュエータ３のカム部１２のカム面が弾性変形自在な接片１０を下方に押す。カム部１２の動きは、支持片９を介してハウジング２の上方壁部により上向きの成分は規制され下向きの成分となって接片１０に伝達される。
接片１０の下向きの動きはフレキシブル基板１６と一体となって接片１５を弾性変形させる。
図３と図４に示す如く、ハウジング２のフレキシブル基板１６の挿入口には、ハウジング２と一体の壁部１８が両側壁部間に延在する。この壁部１８はフレキシブル基板１６をひき回しても、アクチュエータ３を開とする分力を受け、アクチュエータ３に伝達しない。さらに、壁部１８に対するフレキシブル基板１６のオーバラップ分が接片１５を下向きに弾性変形させることになる。
【００１９】
カム部１２による一方の接片１０の弾性変形は、第２の接片１５に対し同量の弾性変形をつくる。これにより、接片１０，１５の接点のフレキシブル基板１６の電気回路への接触圧は一定となる。
接点１１，１７はディピング（ＤＩＰ）やサーフェイステクノロジイ（ＳＭＴ）等を用いて他の回路基板に結合され、たとえば、液晶用バックライトの蛍光管の回路に接続される。
【図面の簡単な説明】
【００２０】
【図１】本発明の一例のコネクター装置の斜視図である。
【図２】図１の例の平面図である。
【図３】アクチュエータの開状態を示す断面図である。
【図４】図２の矢視IV−IVより見た断面図であり、アクチュエータを閉（ロック）状態とした断面図である。
【符号の説明】
【００２１】
２    ハウジング
３    アクチュエータ
５    中間部材
６    係止片
７，１３    端子
８    本体
９    支持片
１０，１５    接片
１１，１７    接点
１２    カム部
１４    本体
１６    フレキシブル基板
【図１】
2005183010.tif 000003
【図２】
2005183010.tif 000004
【図３】
2005183010.tif 000005
【図４】
2005183010.tif 000006